(57)【要約】【課題】障害物を迂回して設置でき、且つ容易に形成可能な防音パネル体の取付構造を提供する。【解決手段】並設される一方の支柱に横方向へ直線状な形状に形成させた第一の防音パネルを取り付け、他方の支柱に横方向へ直線状な形状に形成させた第二の防音パネルを前記第一の防音パネルと間隔をあけて取り付け、左右両側の端部が中央より前方へ突出する形状に形成させ前記第一の防音パネル及び第二の防音パネルと別体に形成させた第三の防音パネルを、前記第一の吸音パネルと、前記第二の吸音パネルとに、前記各端部をそれぞれ取り付けて防音パネル体を設ける。前記二本の支柱の間に障害物などがあったとき、この障害物の位置に前記第一の防音パネルと第二の防音パネルとの間の隙間を配置させて、前記第一の防音パネルと第二の防音パネルとがこの障害物に接触しないように設けることができる。【選択図】        図１
2014058805.tif 000002
【特許請求の範囲】
【請求項１】
並設される２本の支柱の間に取り付けられる防音パネル体の取付構造であって、
前記一方の支柱には横方向へ直線状な形状に形成された第一の防音パネルが取り付けられ、他方の支柱には横方向へ直線状な形状に形成された第二の防音パネルが前記第一の防音パネルと間隔をあけて取り付けられており、
左右両側の端部が中央より前方へ突出する形状に形成され前記第一の防音パネル及び第二の防音パネルと別体に形成された第三の防音パネルが、前記第一の吸音パネルと、前記第二の吸音パネルとに、前記各端部がそれぞれ取り付けられて防音パネル体が設けられていることを特徴とする防音パネル体の取付構造。
【請求項２】
前記第三の防音パネルの各端部を取り付け可能な取付部が、前記第一の防音パネル及び前記第二の防音パネルの後面にそれぞれ設けられると共に、前記第三の防音パネルの各端部は左右への位置調整可能に前記各取付部に取り付けられていることを特徴とする請求項１に記載の防音パネル体の取付構造。
【発明の詳細な説明】
【技術分野】
【０００１】
本発明は、車両等の走行に伴う騒音の伝播を抑制させるために、高速道路や鉄道の沿線等に沿って設けられる防音壁において、街路灯などの障害物を回避して設置させる防音パネル体の取付構造に関するものである。
【背景技術】
【０００２】
高速道路などに沿って設置され、車両からの騒音の伝播を抑制させる防音壁は、Ｈ鋼を用いた支柱を複数立設させ、遮音性や吸音性を備える防音パネルの両端を並設させた前記支柱へそれぞれ取り付けて設置させる構造が主に用いられている。
【０００３】
例えば、特許文献１に記載されているように、所定間隔をおいて立設された断面Ｈ形の支柱と、支柱間に取付けられた防音パネルと、下端部が固定されて防音パネルの端部側面に予め取付けられた板バネとを有し、防音パネルの端部を板バネと共に支柱の相対向するフランジ間に挿入させ、板バネをフランジ内面に弾性押圧させた防音パネルの取付構造が、本出願人によって提案されている。
【先行技術文献】
【特許文献】
【０００４】
【特許文献１】特開平９−３８３４号公報
【発明の概要】
【発明が解決しようとする課題】
【０００５】
通常の場合は、上記のように各支柱間に防音パネルを架設させるように取り付ける構造を好適に用いることができるが、防音パネルの設置場所付近に街路灯などが設置されていた場合、これが防音パネルの設置の障害となることがあった。
【０００６】
本発明は、障害物を迂回して設置でき、且つ容易に形成可能な防音パネル体の取付構造に関するものである。
【課題を解決するための手段】
【０００７】
上記目的を達成するため、本発明は以下のような構成としている。
すなわち本発明に係る防音パネル体の取付構造は、並設される２本の支柱の間に取り付けられる防音パネル体の取付構造であって、
前記一方の支柱には横方向へ直線状な形状に形成された第一の防音パネルが取り付けられ、他方の支柱には横方向へ直線状な形状に形成された第二の防音パネルが前記第一の防音パネルと間隔をあけて取り付けられており、
左右両側の端部が中央より前方へ突出する形状に形成され前記第一の防音パネル及び第二の防音パネルと別体に形成された第三の防音パネルが、前記第一の吸音パネルと、前記第二の吸音パネルとに、前記各端部がそれぞれ取り付けられて防音パネル体が設けられていることを特徴としている。
【０００８】
本発明に係る防音パネル体の取付構造によれば、並設させた２本の支柱において、一方の支柱に第一の防音パネルを取り付け、他方の支柱に第二の防音パネルを前記第一の防音パネルと間隔をあけて取り付けるので、前記二本の支柱の間に障害物などがあったとき、この障害物の位置に前記第一の防音パネルと第二の防音パネルとの間の隙間を配置させて、前記第一の防音パネルと第二の防音パネルとがこの障害物に接触しないように設けることができる。
また、前記第一の防音パネルと第二の防音パネルとを、それぞれ横方向へ直線状な形状に形成させるので、前記障害物の位置に前記第一の防音パネルと第二の防音パネルとの間の隙間を配置させるために、前記第一の防音パネルと第二の防音パネルとの横方向の長さ寸法のみを調整すればよく、これらを容易に形成することができる。
また、左右両側の端部を中央より前方へ突出する形状に形成させた第三の防音パネルを、前記第一の防音パネルと、前記第二の防音パネルとに、前記各端部をそれぞれ取り付けて防音パネル体を設けるので、前記第一の防音パネルと第二の防音パネルとの間に位置する障害物に対して、前記第三の防音パネルをこの障害物の後方に迂回させて設けることができる。また、横方向へ直線状な形状の前記第一の防音パネルと、第二の防音パネルの横方向の長さ寸法を調整して、障害物がこれらの間に位置するように設けることで、前記第三の防音パネルの形状を障害物毎に変更させる必要が無く、同じ形状の第三の防音パネルを共通部材として用いて様々な障害物を迂回させることができるので、生産時の手間が低減できる。
【０００９】
また、前記第三の防音パネルの各端部を取り付け可能な取付部を、前記第一の防音パネル及び前記第二の防音パネルの後面にそれぞれ設けると共に、前記第三の防音パネルの各端部を左右への位置調整可能に前記各取付部へ取り付ければ、障害物の位置などの測量を間違えたり、前記第一の防音パネルや、第二の防音パネルや、第三の防音パネルの寸法に誤差などが生じた場合でも、前記第三の防音パネルの各端部と前記各取付部との取り付け位置を調整し、障害物が前記各防音パネルへ接触しないように容易に取り付けることができるので、好ましい。
【発明の効果】
【００１０】
本発明に係る防音パネル体の取付構造によれば、容易に形成可能な防音パネルにより、障害物を迂回して設置ができる。
【図面の簡単な説明】
【００１１】
【図１】本発明の防音パネル体の取付構造の実施の一形態を示す、（イ）は平面図であり、（ロ）は正面図である。
【図２】図１の防音パネル背面図である。
【図３】図１の第一の防音パネルを示す、（イ）は平面図であり、（ロ）は正面図であり、（ハ）は側面図である。
【図４】図３の第一の防音パネルの背面図である。
【図５】取付部の縦断面を示す図４のＡ−Ａ断面図である。
【図６】図１の第三の防音パネルを示す、（イ）は平面図であり、（ロ）は正面図である。
【図７】第一の防音パネルと第三の防音パネルとの取付部分を示す平面図である。
【図８】本発明の防音パネル体の取付構造の実施の他の一形態を示す平面図である。
【図９】図８の背面図である。
【発明を実施するための形態】
【００１２】
本発明の実施の形態を図面に基づき具体的に説明する。
図面において、Ｓ１、Ｓ２は間隔をおいてそれぞれ立設された支柱であり、Ｐは各支柱Ｓ１、Ｓ２の間に架設されて取り付けられた防音パネル体である。
尚、図２及び後述する図１０では、図の簡略化のために、支柱Ｓ１、Ｓ２の図示を省略している。
図１に示す本実施形態は、２本の支柱Ｓ１、Ｓ２の間に防音パネル体Ｐを取り付けるにあたって、各支柱Ｓ１、Ｓ２の間に設けられた街路灯Ｌを迂回して防音パネル体Ｐを設けた状況を示している。
本実施形態の防音パネル体Ｐは、第一の防音パネルｐ１、第二の防音パネルｐ２、及び第三の防音パネルｐ３の３個の防音パネルから構成されている。
前記街路灯Ｌは、立設された支柱Ｓ１、Ｓ２の中間位置よりやや後方側に位置しており、本実施形態では、この街路灯Ｌのさらに後方側へ迂回させて防音パネル体Pを設けた状況を示している。
【００１３】
第一の防音パネルｐ１と、第二の防音パネルｐ２は、略直方体状の箱体に形成され、横方向に直線状な形状となされている。
第三の防音パネルｐ３は、略直方体状の横壁部３１と、この横壁部３１の左右両側の端からそれぞれ前方側へ延設される２個の略直方体状の縦壁部３２とを備えた、略コの字状の平面形状に形成されており、前記第一の防音パネルｐ１及び第二の防音パネルｐ２と上下方向の大きさが同一に形成されている。具体的には、本実施形態の前記各縦壁部３２は、前方へ至るほど互いの間隔が広がるようにそれぞれ斜め前方向へ向かうように延設されている。
【００１４】
本実施形態の第一の防音パネルｐ１と第二の防音パネルｐ２は、間隔をおいて横一列に配置されており、前記第三の防音パネルｐ３の各縦壁部３２の前端が、前記第一の防音パネルｐ１の後面と、第二の防音パネルｐ２の後面とに、それぞれ当接されて取り付けられている。
具体的には、図１において、前記第一の防音パネルｐ１は図中左側に配置され、第二の防音パネルｐ２は図中右側に配置されている。前記第三の防音パネルｐ３は、一方の縦壁部３２を第一の防音パネルｐ１の右側付近の後面に取り付け、他方の縦壁部３２を第二の防音パネルｐ２の左側付近の後面に取り付けており、前記第一の防音パネルｐ１と第二の防音パネルｐ２との間に形成された隙間を、連結された前記第三の防音パネルｐ３によって塞ぐように設けている。
【００１５】
第三の防音パネルｐ３に前記第一の防音パネルｐ１と第二の防音パネルｐ２とを連結させて一体となされた防音パネル体Ｐは、それぞれの側端を前記支柱Ｓ１、Ｓ２に取り付けられている。
具体的には、前記支柱Ｓ１、Ｓ２は、それぞれＨ鋼で形成されており、Ｈ鋼の備えるウェブと２枚のフランジから形成される溝部分へ、第一の防音パネルｐ１の側端と、第二の防音パネルｐ２の側端とを、それぞれ挿入させて、支柱Ｓ１、Ｓ２間に一体となされた前記防音パネル体Ｐが架設されるように設けられている。
【００１６】
図３は図１の第一の防音パネルｐ１を示す、（イ）は平面図であり、（ロ）は正面図であり、（ハ）は側面図であり、図４は図３の第一の防音パネルｐ１の背面図である。
本実施形態の第一の防音パネルｐ１は、前面を構成する前面板１１と、上側と下側とがそれぞれ前方へ折り曲げられて、上面と後面と下面とを構成する背面板１２と、両側の側面をそれぞれ構成する２個の側面板１３とを備える、中空箱状に形成させており、内側の中空部分に吸音材を内装させている。
前記前面板１１には、内側の中空部分に通じるスリット状の穴部Ｈを複数形成させており、前方側からの騒音が前記前記穴部Ｈから第一の防音パネルｐ１の内側へ入り、吸音材で吸音させて効率良く低減させるように設けている。
【００１７】
第一の防音パネルｐ１の後面には、取付部１５が形成されている。
本実施形態の取付部１５は、第一の防音パネルｐ１の内側へ窪む横長の溝形状に形成されており、上下に並設されて４条の取付部１５が形成されている。
【００１８】
図５は取付部１５の縦断面を示す図４のＡ−Ａ断面図である。
本実施形態の取付部１５は、背面板１２に形成された横長筋状の切欠き１２ａと、この切欠き１２ａの形成位置に全長に亘って取り付けられた胴縁１６とから構成されている。
【００１９】
前記胴縁１６は、アルミニウム押出形材で形成させており、縦断面を全長に亘って同一形状に設けている。
具体的には、胴縁１６は、平面状に形成させた後面を備え、この後面に前方へ窪む蟻溝状のボルト挿入溝１６ａを形成させた形状に設けている。
前記胴縁１６は、後面を前記背面板１２の内側面へ当接させて固定させており、そのボルト挿入溝１６ａの形成位置を前記切欠き１２ａの位置に一致させて固定させている。尚、前記背面板の切欠き１２ａの幅は、溝の内側より幅狭に形成されたボルト挿入溝１６ａの開口縁の幅と同じ大きさに形成させている。
【００２０】
取付部１５は、蟻溝状に形成させた前記ボルト挿入溝１６ａの内側に固定ボルトＢのボルト頭部を収納させ、その雄ねじ部分を切欠き１２ａから背面板１２の後方へ突出させて取り付け可能に形成されており、取付部１５へ取り付けられた前記固定ボルトＢは、横方向へ摺動可能となされて、左右方向への位置調整が可能となされる。
【００２１】
また、本実施形態の第二の防音パネルｐ２は、前記第一の防音パネルｐ１に対して左右対称形状に形成されていること以外は、第一の防音パネルｐ１と同じ構成となされている。
【００２２】
図６は図１の第三の防音パネルｐ３を示す、（イ）は平面図であり、（ロ）は正面図である。
本実施形態の第三の防音パネルｐ３の横壁部３１は、中空筒状に形成されており、前面を構成する前面板３５ａと、上側と下側とがそれぞれ前方へ折り曲げられて、上面と後面と下面とを構成する背面板３６ａとを備え、内側の中空部分に吸音材を内装させている。
前記前面板３５ａには、内側の中空部分に通じるスリット状の穴部Ｈを複数形成させている。
【００２３】
本実施形態の第三の防音パネルｐ３の各縦壁部３２は、内側の中空部分が前記横壁部３１の中空部分に連通する中空箱状にそれぞれ形成されており、スリット状の穴部Ｈを備え前面を構成する前面板３５ｂと、上面と後面と下面とを構成する背面板３６ｂとを備えており、その中空部分にはそれぞれ吸音材が内装されている。
また、各縦壁部３２のそれぞれの前端には、前記前面板３５ｂと背面板３６ｂとで形成される筒状部分の開口を塞ぐように端板３３が取り付けられている。
【００２４】
また、本実施形態の第三の防音パネルｐ３は、各縦壁部３２の前端に取付板３７が形成されている。
取付板３７は中央に貫通穴３７ａを備える矩形の平板形状に形成され、各縦板部３２にそれぞれ４個づつ合計８個が形成されている。
具体的には、縦板部３２に形成された各取付板３７は、間隔をあけて上下方向に並設されており、各縦板部３２の前端から外側側方へそれぞれ突出するように設けられている。
尚、上下方向に並設された各取付板３７は、前記第一の防音パネルｐ１の後面に設けられた４条の各取付部１１に対応する配置にそれぞれ形成されている。
【００２５】
図７は第一の防音パネルｐ１と第三の防音パネルｐ３との取り付け部分を示す平面図である。
前記第三の防音パネルｐ３は、縦板部３２の前端を、第一の防音パネルｐ１の後面を構成する背面板１２へ当接させて取り付けられている。
具体的には、前記第一の防音パネルｐ１の後面に形成された取付部１５へ、雄ねじ部分を後方へ突出させて固定ボルトＢを取り付け、この固定ボルトＢの雄ねじ部分を第三の防音パネルｐ３の取付板３７の貫通穴３７ａへ挿通させた後、この雄ねじ部分に後方からナットＮを螺結させて、前記第一の防音パネルｐ１へ、第三の防音パネルｐ３を取り付けている。
【００２６】
第一の防音パネルｐ１に対して左右対称形状に形成された、第二の防音パネルｐ２への第三の防音パネルｐ３の取り付けは、前記第一の防音パネルｐ１への第三の防音パネルｐ３の取り付けと同様になされている。
即ち、前記第二の防音パネルｐ２に形成された取付部に雄ねじ部分を後方へ突出させて固定ボルトを取り付け、この固定ボルトの雄ねじ部分を第三の防音パネルｐ３の取付板３７の貫通穴３７ａへ挿通させた後、この雄ねじ部分に後方からナットを螺結させて、前記第二の防音パネルｐ２へ第三の防音パネルｐ３を取り付けている。
【００２７】
前記第一の防音パネルｐ１、及び第二の防音パネルｐ２において、取付部１５に左右方向へ摺動可能に取り付けた固定ボルトＢを用いて前記第三の防音パネルｐ３を取り付けることで、前記第三の防音パネルｐ３は左右方向へ取り付け位置を調整可能となされる。
このため、測量時や、各防音パネルの生産時などにおける誤差や失敗などの要因で、図１のような施工を行った際に第三の防音パネルｐ３が街路灯Ｌへ接触しそうになった場合でも、前記第三の防音パネルｐ３の取付位置を調整して、対応することができる。
【００２８】
前記第一の防音パネルｐ１、第二の防音パネルｐ２、第三の防音パネルｐ３が連結され一体となされた防音パネル体Ｐは、穴部Ｈが形成された前方側からの騒音を内装する前記吸音材で効率良く吸音されるように設けている。本実施形態においては、防音パネル体Ｐを前記街路灯Ｌの後方側へ迂回させて設けることで、街路灯Ｌの整備などを防音パネル体Ｐの前方側、即ち高速道路などにおいては吸音すべき騒音の生じる車道側から実施できるように設けている。
【００２９】
図８は本発明の防音パネル体の取付構造の実施の他の一形態を示す平面図であり、図９は図８の背面図である。
本実施形態においては、立設された支柱Ｓ１、Ｓ２の中間より、支柱Ｓ２に近い位置に配置された街路灯Ｌの後方側を迂回させて、防音パネル体Ｐを設けた状況を示している。
本実施形態の防音パネル体Ｐは、支柱Ｓ１に取り付ける第一の防音パネルｐ１の横方向の長さを、支柱Ｓ２に取り付ける第二の防音パネルｐ２の横方向の長さより長く形成させた点が、図１〜７に示す実施形態と主に異なる事項である。
【００３０】
そして図１〜７の実施形態と同様に、本実施形態の第一の防音パネルｐ１及び第二の防音パネルｐ２は、それぞれ略直方体状で吸音材を内装する中空箱体に形成され、それぞれの後面には蟻溝形状の取付部１５が設けられており、各取付部１５には固定ボルトＢが横方向へ摺動可能に取り付けられている。
【００３１】
本実施形態の第三の防音パネルｐ３は、図１〜７に示す実施形態の第三の防音パネルｐ３と同一形状に形成されている。第三の防音パネルｐ３の、２個の縦壁部３２の前端にそれぞれ形成された各取付板３７の貫通穴３７ａへ、前記第一の防音パネルｐ１及び第二の防音パネルｐ２の取付部１５に取り付けられた固定ボルトＢの雄ねじ部分を挿通させ、これへナットＮを螺結させて、前記第一の防音パネルｐ１と、第二の防音パネルｐ２とへ、第三の防音パネルｐ３を一体的に連結させて取り付けている。
【００３２】
前記第一の防音パネルｐ１の側端と、第二の防音パネルｐ２の側端とは、それぞれ前記支柱Ｓ１、Ｓ２の溝部分へ挿入させ、支柱Ｓ１、Ｓ２間に一体となされた本実施形態の防音パネル体Ｐが架設されるように設けられている。
【００３３】
本実施形態の防音パネル体Ｐの取付構造によれば、異なる位置に設けられた街路灯Ｌを迂回するために、平面形状が略コの字状となされた複雑な形状の前記第三の防音パネル３を、図１〜７の実施形態と同一形状のものを共通で利用し、支柱Ｓ１に取り付ける第一の防音パネルｐ１と、第二の防音パネルｐ２との、横方向の長さ寸法のみを変更して形成させて対応できる。
このように、第三の防音パネル３と比較して単純な構造となされた、略直方体状の第一の防音パネルｐ１と第二の防音パネルｐ２の長さ寸法のみを変更すればよいので、各防音パネルを容易に形成できる。
【００３４】
尚、図１〜７に示す実施形態、及び図８〜９に示す実施形態において、支柱Ｓ１、２の間に各防音パネルを１個づつ取り付けて設けているが、これに限るものではなく、各防音パネルを複数個づつ上下に段積みさせて取り付けてもよい。
【符号の説明】
【００３５】
１１  前面板
１２  背面板
１３  側面板
１５  取付部
１６  胴縁
３１  横壁部
３２  縦壁部
３３  端板
３５ａ  前面板
３５ｂ  前面板
３６ａ  背面板
３６ｂ  背面板
３７  取付板
Ｈ    穴部
Ｌ    街路灯
Ｐ    防音パネル体
ｐ１  第一の防音パネル
ｐ２  第二の防音パネル
ｐ３  第三の防音パネル
Ｓ１  支柱
Ｓ２  支柱
【図１】
2014058805.tif 000003
【図２】
2014058805.tif 000004
【図３】
2014058805.tif 000005
【図４】
2014058805.tif 000006
【図５】
2014058805.tif 000007
【図６】
2014058805.tif 000008
【図７】
2014058805.tif 000009
【図８】
2014058805.tif 000010
【図９】
2014058805.tif 000011